(57)【要約】【課題】  大サイズの用紙を含めて複数サイズの用紙を容易に仕分け、しかも紙詰まりが生じることなく排紙収納する。【解決手段】  排紙トレイ部１２は、記録用紙に画像形成を行う画像形成装置とともに用いられ、画像形成装置の一側面に下向きに延在して配置され、画像形成装置の一側面に形成された排紙口１７ａから排紙される画像形成後の記録用紙を収納する。排紙トレイの上面に規定された用紙受け面２３には用紙サイズに対応して複数の開口面が形成され、これら開口面によってサイズ毎に用紙を振り分け、用紙サイズ毎の排紙空間３１〜３３に収納する。そして、画像形成終了の後、上記の開口面から用紙を取り出す。【選択図】  図３
2005316084.tif 000002
【特許請求の範囲】
【請求項１】
記録用紙に画像形成を行う画像形成装置とともに用いられ、該画像形成装置の一側面に下向きに延在して配置され前記画像形成装置の一側面に形成された排紙口から排紙される前記画像形成後の記録用紙を収納する排紙収納装置において、
前記排紙口の下側に位置し前記記録用紙が収納される収納筐体と、
前記記録用紙を前記記録用紙のサイズ毎に振り分ける振り分け手段と、
前記収納筐体内に形成され前記記録用紙を当該記録用紙のサイズ毎に収納する複数の収納部と、
前記収納部に対応して形成され前記収納部から前記記録用紙を取り出すための取り出し口とを有することを特徴とする排紙収納装置。
【請求項２】
前記振り分け手段は、前記収納筐体の上面を規定し、一端が前記排紙口の下側に位置し該一端側から他端側に斜め下向きに傾斜する用紙受け面を有し、
該用紙受け面には前記記録用紙のサイズに対応して複数の開口部が形成され、前記記録用紙のサイズが小から大となる順序で前記開口部は前記用紙受け面の一端側から他端側に向って配列されており、
該用紙受け面の下側に前記開口部に対応して前記収納部が位置付けられていることを特徴とする請求項１記載の排紙収納装置。
【請求項３】
前記開口部が前記取り出し口として用いられることを特徴とする請求項２記載の排紙収納装置。
【請求項４】
一端が前記排紙口の上側において前記画像形成装置の一側面に取り付けられ該一端側から他端側に斜め下向きに延び該他端が前記用紙受け面と間隔をおいて前記排紙口よりも下側に位置する用紙ガイド部材を備えることを特徴とする請求項２又は３記載の排紙収納装置。
【請求項５】
前記収納筐体の上面は開口面となっており、
前記収納筐体の底面部と該底面部の前記記録用紙の幅方向両端からそれぞれ階段状に上昇して複数の階段面を規定する階段部とによって前記振り分け手段が規定され、
互いに対向する一対の階段面毎にその間隔が前記排紙口側から下側に向うにつれて順次狭められており、該一対の階段面に応じて前記記録用紙のサイズ毎に前記記録用紙を収納する前記収納部が規定されるようにしたことを特徴とする請求項１記載の排紙収納装置。
【請求項６】
前記底面部と該底面部の直上に位置する前記一対の階段面との間において前記収納筐体に前記取り出し口を形成するとともに、前記一対の階段面と該階段面の直上に位置する一対の階段面との間において前記取り出し口を形成し、
さらに、前記開口面を取り出し口とするようにしたことを特徴とする請求項５記載の排紙収納装置。
【発明の詳細な説明】
【技術分野】
【０００１】
本発明は、複写機等の画像形成装置に関し、特に、画像形成装置から排紙される記録用紙（以下単に用紙と呼ぶ）をそのサイズ毎に収納するための排紙収納装置に関するものである。
【背景技術】
【０００２】
一般に、Ａ１版サイズ又はＡ０版サイズのような大サイズの用紙に画像形成を行う画像形成装置においては、給紙部にロール紙が装着されて、ロール紙から送り出される用紙を原稿サイズ等に合わせてカットした後、この用紙に画像形成を行って排紙部に排紙するようにしており、この種の画像形成装置においては、大サイズの用紙のみではなく、例えば、Ｂ５版サイズ又はＡ４版サイズのような小サイズの用紙にも対応できるようになっている。
【０００３】
このような画像形成装置においては、排紙収納部（例えば排紙トレイ）に起因する画像形成装置自体の配置スペースの増加を低減するため、排紙トレイを画像形成装置本体の側面に下向きに延在して形成して、用紙排紙口から排紙された用紙を自重によって排紙収納部に排紙するようにしている。
【０００４】
一方、複数サイズの用紙を排紙するため、排紙トレイが、最大サイズの用紙を収容可能で且つ下向きに傾斜した収容面と、この収容面の下端に設けられたストッパーとを備えて、収容面がストッパーを基準として積載された最小サイズの用紙の上端位置よりも上部位置において上方に突出して、排出用紙の進行方向に向かって順方向に傾斜した傾斜面を有する突起部を有し、収容面に突起部を用紙の幅方向に複数個並列して設けて、用紙の長手方向に複数列設け、ストッパー側に向かうに従い、各列の突起部の数を両側から少なくしたようにしたものがある（特許文献１参照）。
【０００５】
さらに、本体内に一つの排紙トレイを位置させるとともに、別の排紙トレイを本体側面側に位置させて、用紙を選択的に２つの排紙トレイのいずれかに排紙するようにしたものがある。つまり、ここでは、本体内排紙トレイに小サイズの用紙を排紙し、大サイズの用紙を本体側面に配置された排紙トレイに排紙するようにしている（特許文献２参照）。
【０００６】
【特許文献１】特許第３４７６１５６号公報（段落（００１０）〜段落（００１５）、第１図〜第４図）
【特許文献２】特開２００２−２１１８２２公報（段落（０００９）〜段落（００１７）、第１図〜第５図）
【発明の開示】
【発明が解決しようとする課題】
【０００７】
ところで、上述の画像形成装置では、排紙収納部が下向きに延在している関係上、種々のサイズの用紙が連続的に排紙収納部内に排紙されると、つまり、小サイズの用紙及び大サイズの用紙が連続的に排紙収納部に排紙されると、大小サイズの用紙が混載された状態となって、ユーザが排紙収納部から用紙を取り出す際に用紙毎の仕分けが極めて面倒になってしまう。さらに、小サイズの用紙が排紙された後、大サイズの用紙が排紙されると、小サイズ用紙によって大サイズ用紙の排紙が妨げられて、大サイズ用紙の排紙がスムーズに行われず、紙詰まりが生じることがある。
【０００８】
上述した特許文献１に記載された排紙トレイにおいては、排紙トレイの収容面に用紙幅方向に突起部を複数個並列して、用紙の長手方向に複数列設けて、ストッパー側に向うにつれて、各列の突起部の数を両側から少なくして、複数サイズの用紙を一つの排紙トレイに排紙するようにしているものの、画像形成装置自体の配置スペースを少なくして、Ａ１版サイズ等の大サイズの用紙を排紙しようとする際、つまり、排紙トレイを画像形成装置の側面に下向きに配設した場合には、用紙自体を排紙ストックすることが難しく、大サイズ用紙の排紙を行う際に用いることが難しいという課題がある。
【０００９】
さらに、特許文献２に記載の画像形成装置においては、複数の排紙トレイを設ける必要があり、その分画像形成装置が大型化するばかりでなくコストアップとなってしまう。さらに、特許文献２においては、画像形成装置の側面に配置された排紙トレイに複数サイズの用紙が排紙されると、仕分けが面倒となりしかも紙詰まりが生じるという不具合を解決することが難しい。
【００１０】
従って、本発明はかかる従来技術の問題に鑑み、大サイズの用紙を含めて複数サイズの用紙を容易に仕分けしかも紙詰まりが生じることなく排紙収納することのできる排紙収納装置を提供することを目的とするものである。
【課題を解決するための手段】
【００１１】
そこで、本発明はかかる課題を解決するために、記録用紙に画像形成を行う画像形成装置とともに用いられ、該画像形成装置の一側面に下向きに延在して配置され前記画像形成装置の一側面に形成された排紙口から排紙される前記画像形成後の記録用紙を収納する排紙収納装置において、前記排紙口の下側に位置し前記記録用紙が収納される収納筐体と、前記記録用紙を前記記録用紙のサイズ毎に振り分ける振り分け手段と、前記収納筐体内に形成され前記記録用紙を当該記録用紙のサイズ毎に収納する複数の収納部と、前記収納部に対応して形成され前記収納部から前記記録用紙を取り出すための取り出し口とを有することを特徴とする。
【００１２】
本発明では、前記振り分け手段は、前記収納筐体の上面を規定し、一端が前記排紙口の下側に位置し該一端側から他端側に斜め下向きに傾斜する用紙受け面を有し、該用紙受け面には前記記録用紙のサイズに対応して複数の開口部が形成され、前記記録用紙のサイズが小から大となる順序で前記開口部は前記用紙受け面の一端側から他端側に向って配列されており、該用紙受け面の下側に前記開口部に対応して前記収納部が位置付けられている。そして、前記開口部が前記取り出し口として用いられる。
【００１３】
本発明では、一端が前記排紙口の上側において前記画像形成装置の一側面に取り付けられ該一端側から他端側に斜め下向きに延び該他端が前記用紙受け面と間隔をおいて前記排紙口よりも下側に位置する用紙ガイド部材を備えるようにしてもよい。
【００１４】
さらに、本発明では、前記収納筐体の上面は開口面となっており、前記収納筐体の底面部と該底面部の前記記録用紙の幅方向両端からそれぞれ階段状に上昇して複数の階段面を規定する階段部とによって前記振り分け手段が規定され、互いに対向する一対の階段面毎にその間隔が前記排紙口側から下側に向うにつれて順次狭められており、該一対の階段面に応じて前記記録用紙のサイズ毎に前記記録用紙を収納する前記収納部が規定される。
【００１５】
本発明では、前記底面部と該底面部の直上に位置する前記一対の階段面との間において前記収納筐体に前記取り出し口を形成するとともに、前記一対の階段面と該階段面の直上に位置する一対の階段面との間において前記取り出し口を形成し、さらに、前記開口面を取り出し口とする。
【発明の効果】
【００１６】
以上のように、本発明の排紙収納装置は、記録用紙を記録用紙のサイズ毎に振り分けて、収納し、各収納部に対応した取り出し口から記録用紙を取り出すようにしたので、大サイズの用紙を含めて複数サイズの用紙を容易に仕分けしかも紙詰まりが生じることなく排紙することができるという効果がある。
【００１７】
また、本発明では、収納筐体の上面を規定する用紙受け面を下向きに傾斜して、この用紙受け面に記録用紙のサイズに対応して複数の開口部を形成し、記録用紙のサイズが小から大となる順序で開口部を用紙受け面の一端側から他端側に向って配列して、用紙受け面の下側に開口部に対応して収納部を位置づけるようにしたので、極めて簡単な構成で記録用紙をサイズ毎に振り分けることができるという効果がある。
【００１８】
本発明では、収納筐体の底面部の記録用紙の幅方向両端からそれぞれ階段状に上昇して複数の階段面を規定する階段部を形成して、互いに対向する一対の階段面毎にその間隔を排紙口側から下側に向うにつれて順次狭めるようにしたので、一対の階段面に応じて記録用紙のサイズ毎に記録用紙を振り分けて収納できる結果、簡単な構成で記録用紙サイズ毎に振り分けを行うことができるという効果がある。
【発明を実施するための最良の形態】
【００１９】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００２０】
図１を参照して、図示の画像形成装置１０は画像形成装置本体１１及び排紙収納部（排紙トレイ部）１２を有しており、排紙トレイ部１２は画像形成装置本体１１の前面に配置され、下向き（例えば、鉛直方向）に延在している。画像形成装置本体１１には、画像形成部１３、給紙装置１４、及び画像読取装置１５が備えられ、画像読取装置１５によって原稿上の画像を読み取って画像データを得て、画像データに基づいて、給紙装置１４から給紙される用紙上に画像形成部１３によって画像形成が行われた後、排紙トレイ部１２に排紙される。
【００２１】
図示の例では、給紙装置１４は、上下２段のロール紙トレイ１４ａ及び１４ｂを有しており、ロール紙トレイ１４ａ及び１４ｂから選択的にロール紙が給紙経路１６に送り出されて、原稿サイズに応じてロールカッターユニット（図示せず）によってロール紙が切断されて、用紙として画像形成部１３に供給される。画像形成部１３では、画像データに応じて形成されたトナー像が用紙に転写された後、定着ユニット（図示せず）において用紙上のトナー像が定着されて、排紙経路１７を通って排紙口１７ａから排紙トレイ部１２に用紙が排紙される。
【００２２】
図２及び図３を参照して、図２及び図３においては、画像形成装置本体１１の内部構成は省略されている。図２に示すように、排紙トレイ部１２は略直方体形状のトレイ筐体（排紙筐体）を有しており、画像形成装置本体１１の前面１１ａによって排紙トレイ部１２の一面が規定され、排紙トレイ部１２は底面部２１、前面１１ａから外方向に所定の間隔をおいて配置された外壁面部２２、上面部（用紙受け面）２３、及び一対の側面部２４ａ及び２４ｂを有しており、外壁面部２２の上端は外側に折り曲げられている。そして、上面部２３は外側に向かって斜め下向きに傾斜しており、上面部２３の側面部２４aの端は排紙口１７ａよりも下側に位置付けられている。
【００２３】
前面１１ａと外壁面部２２との間には、前面１１ａ及び外壁面部２２と平行に延びる第１及び第２の仕切面部２５及び２６が予め定められた間隔をおいて配置され、各仕切面部２５及び２６の下端は底面部２１に固着されている。また、前面１１ａと第１の仕切面部２５との間には、前面１１ａ及び第１の仕切面部２５と交差する方向に延びる第１の底面２７が配設され、同様にして、第１及び第２の仕切面部２５及び２６の間には第１及び第２の仕切面部２５及び２６と交差する方向に延びる第２の底面２８が配設されている。そして、第２の底面２８は底面部２１よりも上側に位置し、第１の底面２７は第２の底面２８よりも上側に位置している。
【００２４】
図示の例では、側面部２４ａ及び２４ｂ、前面１１ａ、第１の底面２７、及び第１の仕切面部２５によって第１の排紙空間３１が規定され、側面部２４ａ及び２４ｂ、第２の底面２７、及び第１及び第２の仕切面部２５及び２６によって第２の排紙空間３２が規定される。そして、側面部２４ａ及び２４ｂ、底面部２１、第２の仕切面部２６、及び外壁面部２２によって第３の排紙空間３３が規定され、第１〜第３の排紙空間３１〜３３の順にその容積が大きくなっている。
【００２５】
上面部２３の幅は、画像形成装置１０で用いられる最大用紙サイズの幅よりも大きく、図２に示すように、上面部２３には開口部４０が形成されている。この開口部４０は、第１〜第３の開口面４１〜４３を有しており、第１〜第３の開口面はそれぞれ第１〜第３の排紙空間３１〜３３に対応して形成されている。そして、前述の仕切面部２５及び２６の側端はそれぞれ第２の開口面４２及び第３の開口面４３の側端の延長線上に位置付けられるか又は第２の開口面４２及び第３の開口４３の側端の延長線よりも幅方向外側に位置付けられる(つまり、仕切面部２５及び２６の幅はそれぞれ少なくとも第２の開口面４２の幅及び第３の開口面４３の幅と同一である)。例えば、第１の開口面４１の幅はＡ１版サイズの幅よりも若干大きく、第２の開口面４２の幅はＡ２版サイズの幅よりも若干大きい。また、第３の開口面４３の幅はＡ１版サイズの幅よりも若干大きい。そして、Ａ１版サイズの幅＜第１の開口面４１＜Ａ２版サイズの幅、Ａ２版サイズの幅＜第２の開口面＜Ａ１版サイズの幅、Ａ１版サイズの幅＜第３の開口面４３である。なお、図３に示すように、第１の排紙空間３１の長さ（鉛直方向）はＡ４版サイズの長さよりも若干長く、第２の排紙空間３２の長さはＡ２版サイズの長さよりも若干長い。
【００２６】
排紙口１７ａの上側において、前面１１ａには用紙ガイド部材５１の一端が取り付けられ、この用紙ガイド部材５１の他端（先端）は上面部２３近傍に位置付けられている。具体的には、用紙ガイド部材５１の先端は第１の仕切面部２５の上端よりも前面１１ａ側に僅かに寄って位置付けられている。なお、用紙ガイド部材５１は、例えば、可撓性部材によって形成することが望ましい。
【００２７】
上述の画像形成装置において、Ａ４版サイズの用紙が排紙される際には、排紙口１７ａから排紙された用紙は用紙ガイド部材５１に当ってその先端が下向きに変更される。そして、用紙ガイド５１よりも前面１１ａ側に第１の開口面４１が形成されているから、Ａ４版サイズの用紙は第１の開口面４１を入口として通過して、第１の排紙空間３１に排紙されることになる。
【００２８】
Ａ２版サイズの用紙が排紙される際には、排紙口１７ａから排紙された用紙は用紙ガイド部材５１に当ってその先端が下向きに変更されるものの、第１の開口面４１の幅＜Ａ２版サイズ用紙の幅であるから、Ａ２版サイズ用紙は上面部２３に沿って用紙ガイド部材５１と上面部２３とのギャップを通過して、第２の開口面４２に至り、第２の開口面４２の幅＞Ａ２版サイズ用紙の幅であるから、Ａ２版サイズの用紙は第２の開口面４２を入口として通過し、第２の排紙空間３２に排紙される。
【００２９】
同様にして、Ａ１版サイズの用紙が排紙される際には、排紙口１７ａから排紙された用紙は用紙ガイド部材５１に当ってその先端が下向きに変更されるものの、第１の開口面４１の幅＜Ａ２版サイズ用紙の幅であるから、Ａ１版サイズ用紙は上面部２３に沿って用紙ガイド部材５１と上面部２３とのギャップを通過して、第２の開口面４２に至る。ところが、第２の開口面４２の幅＜Ａ１版サイズ用紙の幅であるから、Ａ１版サイズの用紙は第２の開口面４２を通過して上面部２３に沿って移動し、第３の開口面４３に至る。第３の開口面４３の幅＞Ａ１版サイズ用紙の幅であるから、Ａ１版サイズの用紙は外壁面部２２に突き当たって、第３の開口面４３を入口として通過し、第３の排紙空間３３に排紙される。そして、Ａ１版サイズの用紙は、図３に示すように、用紙の搬送力によってその後端側が外壁面部２２の外側に折り曲げられることになる。
【００３０】
このようにして、用紙サイズ毎に仕分けされて排紙トレイ部１２に用紙が収納されることになって、画像形成が終了した後、ユーザは第１〜第３の開口面４１〜４３を取り出し口として用紙を取り出すようにすればよい。なお、用紙ガイド部材５１は可撓性であるから、第１の開口面４１から用紙を取り出す際、用紙ガイド部材５１が邪魔になることはない。
【００３１】
上述の説明では、Ａ１版サイズ、Ａ２版サイズ、及びＡ４版サイズの３サイズの用紙を仕分け収納する排紙トレイ部について説明したが、複数サイズの用紙を仕分け収納する際において同様にしてこの排紙トレイ部を用いることができる。いずれにしても、排紙口１７ａ側から下流側に順次小サイズ用紙から大サイズ用紙に対応する開口面を形成するようにすれば、各サイズの用紙を仕分けすることができる。また、このようにして、仕分け排紙するようにすれば、排紙トレイ部には大小サイズの用紙が混載された状態となることがなく、しかも、小サイズ用紙によって大サイズ用紙の排紙が妨げられて、大サイズ用紙の排紙がスムーズに行われず、紙詰まりが生じるという事態を回避することができる。
【００３２】
なお、上述の説明から明らかなように、上面部（用紙受け面）２３が用紙振り分け手段として機能し、第１〜第３の排紙空間３１〜３３が収納部として機能することになる。
【実施例２】
【００３３】
図４を参照して、図示の画像形成装置６０において、図１に示す画像形成装置と同一の構成要素については同一の参照番号を付し、説明を省略する。図示の画像形成装置６０は、排紙トレイ部６１を有しており、この排紙トレイ部６１は画像形成装置本体１１の前面１１ａに配設されている。
【００３４】
図５も参照すると、排紙トレイ部６１は排紙筐体を有し、その上面は開口されて第１の開口面６１ａが規定されており、排紙トレイ部６１の前面（外壁面部）６１ｂの下側には第２の開口面６１ｃが形成されている。また、第２の開口面６１ｃの下側には後述するようにして第３の開口面６１ｄが形成されている。
【００３５】
図５及び図６を参照して、排紙トレイ部６１は画像形成装置本体１１の前面１１ａによって排紙トレイ部６１の一面が規定され、排紙トレイ部６１は底面部６２、前面１１ａから外方向に所定の間隔をおいて配置された外壁面６１ｂ、及び一対の側面部６３ａ及び６３ｂを有しており、外壁面６１ｂの上端は外側に折り曲げられている（図４参照）。そして、第１の開口面６１ａは排紙口１７ａよりも下側に位置付けられている。
【００３６】
図７に示すように、底面部６２は階段状に形成されており、その中央部からそれぞれ側面部６３ａ及び６３ｂ側に向って上昇するように階段６４が規定されている。そして、底面部６２の中央部分は外方向に突出する突出面６２ａとなっている。
【００３７】
図示の例では、階段６４は一対の階段面６４ａ及び一対の階段面６４ｂを有しており、階段面６４ａによって、例えば、Ａ１版サイズの用紙が支持され、階段面６４ｂによってＡ２版サイズの用紙が支持される。また、突出面６２ａによってＡ４版サイズ用紙が支持される。そして、階段面６４ｂと階段面６４ａとの間において外壁面部６１ｂには第２の開口面６１ｃが形成され、階段面６４ｂと突出面６２ａとの間において外壁面部６１ｂには第３の開口面６１ｄが形成されている。
【００３８】
第１の開口面６１ａの幅は最大サイズ用紙（図示の例では、Ａ１版サイズ用紙）の幅よりも僅かに大きく、階段面６４ａ間の距離（間隔）は、Ａ１版サイズ用紙の幅よりも狭く、Ａ２版用紙の幅よりも広い。同様に、階段面６４ｂ間の距離は、Ａ２版サイズ用紙の幅よりも狭く、Ａ４版用紙の幅よりも広い。
【００３９】
上述の画像形成装置６０において、Ａ１版サイズの用紙が排紙される際には、排紙口１７ａから排紙された用紙は、第１の開口面６１ａを入口として排紙トレイ部６１に排紙され、その先端が階段面６４ａで保持されて、図４に示すように、用紙の搬送力によってその後端側が外壁面部６１ｂの外側に折り曲げられることになる。
【００４０】
Ａ２版サイズの用紙が排紙される際には、排紙口１７ａから排紙された用紙は第１の開口面６１ａを入口として排紙トレイ部６１に排紙されることになるが、階段面６４ａ間の距離はＡ２版サイズ用紙の幅よりも大きいので、Ａ２版サイズ用紙は階段面６４ａ間を通過して、その先端が階段面６４ｂで保持されることになる。
【００４１】
同様にして、Ａ４版サイズの用紙が排紙される際には、排紙口１７ａから排紙された用紙は第１の開口面６１ａを入口として排紙トレイ部６１に排紙されることになるが、階段面６４ａ間の距離及び階段面６４ｂ間の距離はＡ４版サイズ用紙の幅よりも大きいので、Ａ４版サイズ用紙は一対の階段面６４ａ間及び一対の階段面６４ｂ間を通過して、その先端が突出面６２ａにすることになる。
【００４２】
このようにして、用紙サイズ毎に仕分けされて排紙トレイ部１２に用紙が収納されることになり、画像形成が終了した後、ユーザは第１、第２、及び第３の開口面６１ａ、６１ｃ、及び６１ｄをそれぞれ取り出し口としてＡ１版サイズ用紙、Ａ２版サイズ用紙、及びＡ４版サイズ用紙を取り出すようにすればよい。
【００４３】
上述の説明では、Ａ１版サイズ、Ａ２版サイズ、及びＡ４版サイズの３サイズの用紙を仕分け収納する排紙トレイ部について説明したが、複数サイズの用紙を仕分け収納する際において同様にしてこの排紙トレイ部を用いることができる。この際には、用紙サイズの数に応じて前述のように階段面及び開口面を形成するようにすればよい。
【００４４】
このようにして、仕分け排紙するようにすれば、排紙トレイ部には大小サイズの用紙が混載された状態となることがなく、しかも、小サイズ用紙によって大サイズ用紙の排紙が妨げられて、大サイズ用紙の排紙がスムーズに行われず、紙詰まりが生じるという事態を回避することができる。
【００４５】
なお、上述の説明から明らかなように、階段面６４ａ及び６４ｂが用紙振り分け手段として機能するとともに、排紙筐体（排紙トレイ本体）とともに収納部を規定することになる。
【産業上の利用可能性】
【００４６】
記録用紙を記録用紙のサイズ毎に振り分けて収納し、各収納部に対応した取り出し口から記録用紙を取り出すようにしたから、大サイズの用紙を含めて複数サイズの用紙を容易に仕分けしかも紙詰まりが生じることなく排紙することができる結果、小サイズから大サイズの用紙を排紙する画像形成装置の排紙収納装置に適用できる。
【図面の簡単な説明】
【００４７】
【図１】本発明による排紙収納装置が用いられる画像形成装置の一例を概略的に示す断面図である。
【図２】本発明による排紙収納装置の実施例１を画像形成装置本体とともに概略的に示す斜視図である。
【図３】本発明による排紙収納装置の実施例１を画像形成装置本体とともに概略的に示す断面図である。
【図４】本発明による排紙収納装置の実施例２を画像形成装置本体とともに概略的に示す断面図である。
【図５】図４に示す排紙収納装置の外観を示す斜視図である。
【図６】図４に示す排紙収納装置を透視して示す斜視図である。
【図７】図６に示す排紙収納装置の階段面を説明するための斜視図である。
【符号の説明】
【００４８】
１１  画像形成装置本体
１２  排紙収納部（排紙トレイ部）
１３  画像形成部
１４  給紙装置
１５  画像読取装置
１７ａ  排紙口
２２，６１ｂ  外壁面部
２３  上面部（用紙受け面）
２５，２６  仕切面部
２７，２８  底面
３１〜３３  排紙空間
４０  開口部
４１〜４３  開口面
５１  用紙ガイド部材
６４ａ，６４ｂ  階段面
６１ａ，６１ｃ，６１ｄ  開口面
【図１】
2005316084.tif 000003
【図２】
2005316084.tif 000004
【図３】
2005316084.tif 000005
【図４】
2005316084.tif 000006
【図５】
2005316084.tif 000007
【図６】
2005316084.tif 000008
【図７】
2005316084.tif 000009